(57)【要約】【課題】  放射線治療時に実際に放射線の照射されている部位や照射量を視覚的に判断できるようにする。【解決手段】  放射線を受けて変色する透明ないし半透明の放射線検出シート１を、所望の放射線照射部位を含む近傍へ設定し、前記所望の放射線照射部位へ放射線を照射することにより、放射線照射による前記放射線検出シートの変色状況を、テレビカメラ３を通して観察するようにした。  これにより、放射線被曝のおそれなしに、治療部位への放射線の照射状況を視覚的に確実に観察することができ、放射線の照射されている部位や照射量の視認が容易となる。【選択図】      図３
2005304910.tif 000002
【特許請求の範囲】
【請求項１】
放射線を受けて変色する放射線検出部材を、所望の放射線照射部位を含む近傍へ設定する
第１の工程と、
前記所望の放射線照射部位へ放射線を照射する第２の工程と、
放射線照射による前記放射線検出部材の変色状況を観察する第３の工程と
から成ることを特徴とする放射線の照射位置および／または照射量の検出方法。
【請求項２】
前記放射線検出部材は、透明ないし半透明であることを特徴とする請求項１に記載の放射
線の照射位置および／または照射量の検出方法。
【請求項３】
前記第３の工程における放射線検出部材の変色状況の観察は、テレビカメラを通して行う
ことを特徴とする請求項１または請求項２のいずれか１項に記載の放射線の照射位置およ
び／または照射量の検出方法。
【請求項４】
前記第３の工程における放射線検出部材の変色状況から、所望の放射線照射位置のずれお
よび／または放射線照射量が所定の閾値を越えていると判断したときに、放射線の照射を
停止させるか警報を発する第４の工程を有することを特徴とする請求項３に記載の放射線
の照射位置および／または照射量の検出方法。
【請求項５】
被検体の所定の照射部位に治療用放射線を照射する放射線照射部と、
前記照射部位を含む所定の位置に配置され、前記放射線の照射によって変色する透明な
いし半透明の放射線検出部材と、
前記照射部位および前記放射線検出部材を撮影するテレビカメラと
を具備することを特徴とする放射線治療装置。
【発明の詳細な説明】
【技術分野】
【０００１】
本発明は、例えば放射線治療を行うに際して、所望の放射線照射部位に対する放射線の
照射位置および／または照射量の検出を容易にした検出方法および放射線治療装置に関す
る。
【背景技術】
【０００２】
癌などの病巣をもった患者に放射線治療を施す際は、治療に先立って放射線治療計画が
立てられ、その結果に基づいて、正常組織に与えるダメージを最小限にしながら病巣部位
へ放射線を照射するようにしている。このような治療計画は、放射線治療計画装置を用い
て作成される。すなわち、例えばＸ線ＣＴ装置から得られる医用画像に基づき、患者の体
内の病巣部位を特定し、この病巣部位に対する放射線照射野形状や照射位置などを、治療
計画データとして得ている。
【０００３】
そして、この治療計画データは、放射線治療装置に正確に反映させる必要があるが、特
に位置は重要な要素のひとつである。そこで従来から、治療計画データに基づいて、患者
の体表面にフェルトペンなどを用いて、計画された放射線の照射野形状などを手書きによ
りマーキングしていた。また、手書きによるマーキングの位置ずれを防止するとともにオ
ペレータの負担を解消するために、前記の治療計画データに基づいて、紫外線を患者の体
表面に照射して、紫外線の日焼け作用により患者の体表面に直接照射野像を形成すること
が提案されていた（例えば、特許文献１参照。）。
【０００４】
また、放射線を取り扱う業務に従事する者は、例えばフィルムバッジを装着することに
よって、定期的に放射線の被曝量を計測し、所定の被曝量を超えないように管理されてい
る。このフィルムバッジは、被曝線量を積算して測定できるものであるが、専門業者の下
で現像処理を行う必要があり、その場で即座に被曝の有無や被曝量を知ることはできない
ものである。これに対して、即時に放射線を検出できるものとして、Ｘ線を照射すると経
時的に白色から赤系色に変色し、その度合いも濃くなるＸ線検出用セラミックが提案され
ている（例えば、特許文献２参照。）。
【特許文献１】特開平７−２５５８６８号公報（第４−５頁、図１−図５）
【特許文献２】特許第３０７３５８７号公報（第１−２頁）
【発明の開示】
【発明が解決しようとする課題】
【０００５】
ところで、従来の放射線治療装置にあっては、治療時に実際に放射線の照射されている
部位や照射量を視覚的に判断することができず、誤照射や過照射を見逃すリスクがあった
。本発明はこのようなリスクを軽減することを目的としてなされたものである。
【課題を解決するための手段】
【０００６】
上述の課題を解決するため、請求項１に記載の発明は、放射線を受けて変色する放射線
検出部材を、所望の放射線照射部位を含む近傍へ設定する第１の工程と、前記所望の放射
線照射部位へ放射線を照射する第２の工程と、放射線照射による前記放射線検出部材の変
色状況を観察する第３の工程とから成ることを特徴とする放射線の照射位置および／また
は照射量の検出方法である。
【０００７】
また、請求項２に記載の発明は、請求項１に記載の放射線の照射位置および／または照
射量の検出方法において、前記放射線検出部材は、透明ないし半透明であることを特徴と
する。
【０００８】
また、請求項３に記載の発明は、請求項１または請求項２のいずれか１項に記載の放射
線の照射位置および／または照射量の検出方法において、前記第３の工程における放射線
検出部材の変色状況の観察は、テレビカメラを通して行うことを特徴とする。
【０００９】
また、請求項４に記載の発明は、請求項３に記載の放射線の照射位置および／または照
射量の検出方法において、前記第３の工程における放射線検出部材の変色状況から、所望
の放射線照射位置のずれおよび／または放射線照射量が所定の閾値を越えていると判断し
たときに、放射線の照射を停止させるか警報を発する第４の工程を有することを特徴とす
る。
【００１０】
また、請求項５に記載の発明は、被検体の所定の照射部位に治療用放射線を照射する放
射線照射部と、前記照射部位を含む所定の位置に配置され、前記放射線の照射によって変
色する透明ないし半透明の放射線検出部材と、前記照射部位および前記放射線検出部材を
撮影するテレビカメラとを具備することを特徴とする放射線治療装置である。
【発明の効果】
【００１１】
上記課題を解決する手段の項にも示したとおり、本発明の特許請求の範囲に記載する各
請求項の発明によれば、次のような効果を奏する。
【００１２】
請求項１に記載の発明によれば、放射線被曝のおそれなしに、治療部位への放射線の照
射状況を視覚的に確実に観察することができ、放射線の誤照射の発見が容易となる。
【００１３】
請求項２に記載の発明によれば、放射線検出部材が透明ないし半透明であるので、予め
マーキングを施した放射線の照射計画部位に対して、実際に照射された放射線の照射部位
との差を極めて明確にすることができる。
【００１４】
請求項３に記載の発明によれば、操作者が放射線照射室内に立ち入ることなく、治療部
位への放射線の照射状況を視覚的に確実に観察することができ、誤照射の発見が早期に容
易に行えるので、患者や操作者の安全性を向上できる。
【００１５】
請求項４に記載の発明によれば、放射線の照射位置のずれや放射線の照射量の適否を容
易に判定することができ、放射線の誤照射や過照射を防止することができる。
【００１６】
請求項５に記載の発明によれば、操作者が放射線照射室内に立ち入ることなく、実際に
照射された放射線の照射状況を視覚的に極めて確実に観察することができ、誤照射の発見
が早期に容易に行えるので、患者や操作者の安全性を向上した放射線治療装置が提供され
る。
【発明を実施するための最良の形態】
【００１７】
以下、本発明に係る放射線の照射位置および／または照射量の、検出方法および放射線
治療装置の一実施の形態について、図１ないし図４を参照して詳細に説明する。
【００１８】
図１は、本発明の基本的な考え方を説明するために示した説明図である。図中符号１を
付して示したものは、本発明を実施する場合に利用される放射線検出シートであり、この
放射線検出シート１は、例えば透明ないし半透明のものである。２は放射線発生器として
の例えばＸ線管であり、３はシート１を撮影するためのテレビカメラである。４はテレビ
カメラ３で撮影された画像を表示するテレビモニタである。
【００１９】
このような放射線検出シート１に向けてＸ線管２からＸ線を照射すると、放射線検出シ
ート１のうちＸ線の照射された部位が変色する。さらにその変色の程度は、強いＸ線の照
射部位は濃く、弱いＸ線の照射部位は薄いものとなる。従って、この放射線検出シート１
によって、Ｘ線の照射部位と照射されたＸ線量の程度を知ることができる。また、Ｘ線の
照射される放射線検出シート１をテレビカメラ３によって撮影し、その映像をテレビモニ
タ４に表示することによって、照射されたＸ線の位置や量を遠隔的に観察することが可能
となる。
【実施例１】
【００２０】
次に、このような考え方に基づく本発明の実施例１を、図２および図３を参照して説明
する。なお図２は、本発明の実施例１に係る放射線の照射位置および／または照射量の検
出方法を説明するために示した説明図であり、図中放射線治療を受ける患者には符号Ｐを
付して示してある。また図３は実施例１の動作を説明するために示したフローチャートで
ある。
【００２１】
先ず、患者Ｐの体表面に、予め放射線治療計画装置によって定められた放射線の照射位
置あるいは照射野形状などを公知の手段によってマーキング５を施す（ステップ１）。次
に、そのマーキング５より広い範囲を覆うように、放射線検出シート１を被せて患者Ｐの
体表面に接着させる（ステップ２）。放射線検出シート１は透明ないし半透明なので、こ
の放射線検出シート１を透して患者Ｐの体表面に表示されたマーキング５部位が容易に視
認される。次に、このような患者Ｐを予め取得されている治療計画データに基づき放射線
治療装置に対して位置決めする（ステップ３）。その後、放射線治療装置から患者Ｐへ所
定の放射線を照射する（ステップ４）。この患者Ｐの特に放射線照射部位の様子をテレビ
カメラ３によって撮影し、その映像を放射線治療装置を遠隔操作する操作室などに設けら
れたテレビモニタ４に表示する（ステップ５）。よって、テレビモニタ４の映像から操作
者が、放射線が予め設定された位置に正しく照射されているかどうか、あるいは、照射し
ている放射線量が適切か否かを判断する（ステップ６）。
【００２２】
すなわち、放射線照射の時間経過とともに、放射線検出シート１の放射線の照射された
位置が変色し始める。この患者Ｐの放射線照射部位の様子はテレビカメラ３によって撮影
され、その映像は放射線治療装置を遠隔操作する操作室などに設けられたテレビモニタ４
に表示されるので、操作者はこのテレビモニタ４によって、患者Ｐへの放射線の照射状況
を観察することができる。よって、放射線が予め設定された位置に正しく照射されている
かどうかを知ることができるとともに、照射している放射線量が適切か否かも知ることが
できる。従って、放射線が正しく照射されていれば、所定ルーチンでの放射線治療を継続
し（ステップ７）、もしも不都合があれば放射線の照射を停止させる（ステップ８）。
【００２３】
放射線の照射中は、被曝防止のために操作者が放射線照射室内に立ち入ることはできな
いが、本発明によれば、放射線被曝のおそれなしに、治療部位への放射線の照射状況を視
覚的に確実に観察することができ、放射線の誤照射の発見が容易となる。よって、万一照
射位置にずれが生じたり、照射量が過大になったりしているような場合には、即刻放射線
照射を停止させて、患者へのリスクを最小限に留めることができる。また、放射線検出シ
ート１は透明ないし半透明であるので、予め患者Ｐにマーキング５を施した放射線の照射
計画部位に対して、実際に照射された放射線の照射部位との差を極めて明確にすることが
できる。
【実施例２】
【００２４】
次に、本発明の実施例２について説明する。本実施例２では、放射線照射部位の様子を
撮影しているテレビカメラ３の映像を基に、放射線の照射位置にずれが生じたり、放射線
の照射量が過大になったりしていることを自動的に判断して、そのような場合には、アラ
ーム信号を発するとともに、放射線照射停止信号を放射線治療装置へ送出することにより
、即刻放射線照射を停止させるものである。以下、本実施例２の動作について、図４に示
したフローチャートを参照して説明する。
【００２５】
先ず、患者Ｐの体表面に、予め放射線治療計画装置によって定められた放射線の照射位
置あるいは照射野形状などを公知の手段によってマーキングする（ステップ１１）。次に
、そのマーキングより広い範囲を覆うように、放射線検出シート１を被せて患者Ｐの体表
面に接着させる（ステップ１２）。放射線検出シート１は透明ないし半透明なので、この
放射線検出シート１を透して患者Ｐの体表面に表示されたマーキング部位が容易に視認さ
れる。次に、このような患者Ｐを予め取得されている治療計画データに基づき放射線治療
装置に対して位置決めする（ステップ１３）。その後放射線治療装置から所定の放射線を
照射し（ステップ１４）、この患者Ｐの特に放射線照射部位の様子をテレビカメラ３によ
って撮影する（ステップ１５）。ここまでは実施例１のステップ１からステップ５と同様
である。
【００２６】
次に、ステップ１６として、ステップ１５によって得たテレビカメラ３の映像を、図示
しない画像解析装置へ供給してそこでその画像を処理することにより、患者Ｐの体表面に
施したマーキング位置と放射線検出シート１の放射線照射によって変色した位置とのずれ
量を検出する。そして、マーキングの位置と放射線検出シート１の変色した位置とのずれ
量が所定の閾値を越えているか否かを判断し（ステップ１７）、その結果、このずれ量が
所定の閾値を越えていると判断されたときに放射線照射停止信号を発して、放射線治療装
置からの放射線照射を停止させる（ステップ１８）。
【００２７】
また、ステップ１７において位置のずれ量が所定の閾値内であると判断されたときはス
テップ１９へ進み、放射線照射によって変色した放射線検出シート１の色の濃度が、所定
の閾値を越えているか否かを判断する。その結果、変色した放射線検出シート１の色の濃
度が所定の閾値を越えていると判断されたときには、この場合も放射線照射停止信号を発
して、ステップ１８により放射線治療装置からの放射線照射を停止させるようにする。そ
して、ステップ１９において放射線検出シート１の色の濃度が所定の閾値内であればステ
ップ２０へ進み、所定のルーチンに基づき放射線治療を継続する。なお、ステップ１６ま
たはステップ１９において、放射線照射停止信号を発する場合に、操作者へ異常を知らせ
るための警報をも発するようにしてもよい。
【００２８】
この実施例２においても、放射線被曝のおそれなしに、患者Ｐへの放射線の照射状況を
観察し、放射線の照射位置のずれや放射線の照射量の適否を容易に判定することができる
ので、放射線の誤照射や過照射を防止することができる。そして、万一照射位置にずれが
生じたり、照射量が過大になったりしているような場合には、即刻放射線照射を停止させ
て、患者へのリスクを最小限に留めることができる。
【図面の簡単な説明】
【００２９】
【図１】本発明の基本的な考え方を説明するために示した説明図である。
【図２】本発明に係る放射線の照射位置および／または照射量の検出方法を説明するために示した説明図である。（実施例１）
【図３】実施例１の動作ステップを示したフローチャートである。（実施例１）
【図４】実施例２の動作ステップを示したフローチャートである。（実施例２）
【符号の説明】
【００３０】
１  放射線検出シート
２  Ｘ線管
３  テレビカメラ
４  テレビモニタ
Ｐ  患者
【図１】
2005304910.tif 000003
【図２】
2005304910.tif 000004
【図３】
2005304910.tif 000005
【図４】
2005304910.tif 000006